【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
コンピュータシステムであって、
１つまたは複数のプロセッサと、
システムメモリと、
前記１つまたは複数のプロセッサによって実行されるとき、前記コンピューティングシステムに未読電子メールメッセージの表示をモバイルデバイス利用者に提供するための方法を行わせる、コンピュータ実行可能命令をその上に記憶した１つまたは複数のコンピュータ可読記憶媒体と
を備え、前記方法は、
前記モバイルデバイス利用者から、前記利用者と関連する少なくとも１つのモバイルデバイスについてのトークンＩＤおよび前記モバイルデバイス利用者の電子メール受信箱が最後にアクセスされた時刻を示すタイムスタンプを含む登録データを受け取る動作であって、前記登録データが、前記利用者を電子メールプッシュ通知に登録する、動作と、
新しい電子メールメッセージが前記利用者の電子メール受信箱で前記利用者に到着したことを決定する動作と、
未読電子メールメッセージの数を決定するために前記利用者の電子メール受信箱にアクセスする動作であって、未読電子メールメッセージの前記数が、前記利用者の電子メール受信箱で受け取られたが、前記タイムスタンプに記載された前記時刻以来別の電子メールクライアントを使用して見られていないまたは既読として印が付けられていない電子メールメッセージの数を含む、動作と、
プッシュ通知を前記利用者の登録されたモバイルデバイスのそれぞれに送る動作であって、前記プッシュ通知が、未読電子メールメッセージの前記数を提供する、動作と
を含む、コンピュータシステム。
【請求項２】
前記利用者の電子メール受信箱が最後にアクセスされた時刻を示すタイムスタンプがすでに存在することを決定する動作と、
前記受け取られた登録情報での前記タイムスタンプ上の前記時刻で前記既存のタイムスタンプを更新する動作と
をさらに含む、請求項１に記載のコンピュータシステム。
【請求項３】
前記利用者の電子メール受信箱が最後にアクセスされた時刻を示すタイムスタンプがすでに存在することを決定する動作であって、前記既存のタイムスタンプが、前記利用者の電子メール受信箱にアクセスする前記利用者に属する第２の異なる登録されたモバイルデバイスに基づいて作成された、動作と、
前記利用者の電子メール受信箱が前記第２の異なるモバイルデバイスによって最後にアクセスされた時刻で前記既存のタイムスタンプを更新する動作と
をさらに含む、請求項１に記載のコンピュータシステム。
【請求項４】
前記モバイルデバイス利用者の電子メール受信箱は、個人情報管理アプリケーションを使用してアクセスされる、請求項３に記載のコンピュータシステム。
【請求項５】
前記既存のタイムスタンプは、前記利用者の個人情報管理アプリケーションが背景モードに移行する時刻で更新される、請求項４に記載のコンピュータシステム。
【請求項６】
前記登録データは、個人情報管理アプリケーションが前記モバイルデバイス上で最前面モードにもたらされるたびに前記モバイルデバイス利用者から受け取られる、請求項５に記載のコンピュータシステム。
【請求項７】
前記利用者の登録されたモバイルデバイスに送られた前記通知プッシュは、通知バッジが表示される引き金となり、未読電子メールメッセージの数を示す、請求項１に記載のコンピュータシステム。
【請求項８】
前記プッシュ通知を前記利用者の登録されたモバイルデバイスのそれぞれに送ることは、未読電子メールメッセージの数を第三者サービスに送ることを含み、前記第三者サービスは、未読電子メールメッセージの前記数を前記利用者のモバイルデバイスに送るように構成される、請求項１に記載のコンピュータシステム。
【請求項９】
前記トークンＩＤは、前記モバイルデバイスの１つまたは複数の特性を示す、請求項１に記載のコンピュータシステム。
【請求項１０】
前記トークンＩＤは、前記モバイルデバイスのオペレーティングシステムによって提供される、請求項９に記載のコンピュータシステム。
【請求項１１】
コンピュータシステムであって、
１つまたは複数のプロセッサと、
システムメモリと、
前記１つまたは複数のプロセッサによって実行されるとき、前記コンピューティングシステムに未読電子メールメッセージ総数を確立するための方法を行わせる、コンピュータ実行可能命令をその上に記憶した１つまたは複数のコンピュータ可読記憶媒体と
を備え、前記方法は、
タイムスタンプが、登録されたモバイルデバイス利用者について確立されたことを決定する動作であって、前記タイムスタンプが、前記利用者の電子メール受信箱が最後にアクセスされた時刻を示し、前記タイムスタンプが、それぞれの登録されたモバイルデバイスについてのトークンＩＤを含む登録情報を前記モバイルデバイス利用者から受け取ることで確立される、動作と、
前記利用者の電子メール受信箱で前記利用者への１つまたは複数の電子メールメッセージを受け取る動作と、
前記１つまたは複数の受け取られた電子メールメッセージが、非モバイル電子メールクライアントアプリケーションを使用して前記利用者によって読まれたことを決定する動作と、
前記利用者の電子メール受信箱で少なくとも１つのその後の電子メールメッセージを受け取る動作と、
前記利用者が少なくとも１つの未読電子メールメッセージを有することを前記利用者に通知するプッシュ通知を前記利用者のモバイルデバイスに送る動作であって、前記未読電子メールメッセージが、前記利用者の受信箱で受け取られたが、前記タイムスタンプに記載された前記時刻以来別の電子メールクライアントを使用して見られていないまたは既読として印が付けられていないそれらの電子メールメッセージを含む、動作とを含む、コンピュータシステム。
【請求項１２】
登録情報は、前記モバイルデバイス利用者と関連する複数のモバイルデバイスについて受け取られ、各モバイルデバイスが、個別トークンＩＤを有する、請求項１１に記載のコンピュータシステム。
【請求項１３】
前記非モバイル電子メールクライアントアプリケーションは、個人情報管理アプリケーションを含む、請求項１１に記載のコンピュータシステム。
【請求項１４】
前記非モバイル電子メールクライアントアプリケーションは、ウェブブラウザ上で実行される、請求項１１に記載のコンピュータシステム。
【請求項１５】
前記少なくとも１つのその後の電子メールメッセージは、前記モバイルデバイス利用者が前記非モバイル電子メールクライアントアプリケーションを終了した後に前記利用者の電子メール受信箱で受け取られる、請求項１１に記載のコンピュータシステム。
【請求項１６】
前記１つまたは複数の受け取られた電子メールメッセージの少なくとも１つは、前記非モバイル電子メールクライアントアプリケーションを使用して読まれず、前記プッシュ通知は、前記未読の受け取られたメッセージを含むことなく、未読電子メールメッセージの数だけを示す、請求項１１に記載のコンピュータシステム。
【請求項１７】
コンピュータシステムであって、
１つまたは複数のプロセッサと、
システムメモリと、
前記１つまたは複数のプロセッサによって実行されるとき、前記コンピューティングシステムに複数のモバイルデバイスにわたって一貫性のある、未読電子メールメッセージ総数を維持するための方法を行わせる、コンピュータ実行可能命令をその上に記憶した１つまたは複数のコンピュータ可読記憶媒体と
を備え、前記方法は、
モバイルデバイス利用者から、前記利用者と関連する少なくとも１つのモバイルデバイスについてのトークンＩＤおよび前記モバイルデバイス利用者の電子メール受信箱が最後にアクセスされた時刻を示すタイムスタンプを含む登録データを受け取る動作であって、前記登録データが、前記利用者を電子メールプッシュ通知に登録する、動作と、
新しい電子メールメッセージが前記利用者のための電子メール受信箱で前記利用者に到着したことを決定する動作と、
未読電子メールメッセージの数を決定するために前記利用者の電子メール受信箱にアクセスする動作であって、未読電子メールメッセージの前記数が、前記利用者の受信箱で受け取られたが、前記タイムスタンプに記載された前記時刻以来別の電子メールクライアントを使用して見られていないまたは既読として印が付けられていない電子メールメッセージの数を含む、動作と、
プッシュ通知を前記利用者の登録されたモバイルデバイスのそれぞれに送る動作であって、前記プッシュ通知が、未読電子メールメッセージの前記数を提供する、動作と、
前記未読電子メールメッセージの少なくとも１つが、第２の異なるモバイルデバイスを使用してその後にアクセスされることを決定する動作と、
前記利用者の電子メール受信箱が前記第２の異なるモバイルデバイスによって最後にアクセスされた時刻で前記タイムスタンプを更新する動作とを含む、コンピュータシステム。
【請求項１８】
未読電子メールメッセージの前記数は、少なくとも第１のモバイルデバイスおよび前記第２の異なるモバイルデバイスにわたって一貫性がある、請求項１７に記載のコンピュータシステム。
【請求項１９】
前記タイムスタンプは、前記利用者と関連するモバイルデバイスによるその後のアクセスごとに更新される、請求項１７に記載のコンピュータシステム。
【請求項２０】
前記タイムスタンプは、前記モバイルデバイス利用者の受信箱が非モバイル電子メールクライアントアプリケーションを使用してアクセスされるときは更新されない、請求項１７に記載のコンピュータシステム。